(57)【特許請求の範囲】
【請求項１】
コントローラ筐体に液蜜に固定される防水ゴムに対して薄肉変形部を介して手動操作されるミュートキー、有線結合キー、フックキーを一体成形し、これらのミュートキー、有線結合キー、フックキーのそれぞれの内端を前記コントローラ筐体の内部のプリント配線基板に配置するひとつのロック付プッシュスイッチ及び隣合った２個のプッシュスイッチにそれぞれ対向させる無線電話機の防水型リモートコントローラにおいて、前記ロック付プッシュスイッチに対向される前記ミュートキーは外力を受けない自然状態で前記ロック付プッシュスイッチのロック状態のプッシュロッドに対向されると共に、同プッシュロッドの先端には同ミュートキーが外力で内方に押圧されたときその内端に偏心位置で接触できる接触面積の大きな剛性接触部材が固定され、この接触部材により前記プッシュロッドの移動方向とミュートキーの移動方向の段差によるモーメントが緩和され、前記プッシュスイッチのひとつに対応した前記有線結合キーの内端には、扇動軸をコントローラ筐体の内部に枢支された剛性扇動部材の可動端寄りの部分が固定され、同可動端は対応する同プッシュスイッチのプッシュボタンに対向されると共に、残るプッシュスイッチのプッシュボタンは前記剛性扇動部材の基部寄りの部分に形成する開口を通って前記フックキーの内端に対向されることを特徴とする無線電話機のリモートコントローラ。
【発明の詳細な説明】
【０００１】
【発明の属する技術分野】
本発明は工場や工事現場等で用いられる無線電話機に関し、特に、無線電話機のリモートコントローラに関する。
【０００２】
【背景技術】
工場や工事現場等で用いられる無線電話機においては、作業員の手持ち通話から手を解放するため、図４に示すようなリモートコントローラＡが用いられる場合がある。
このリモートコントローラＡはイヤマイクＢ及び無線電話機本体Ｃに優先接続されるもので、クリップＤにより作業員の襟元等に止められるコントローラ筐体Ｅの表面には、会議通話・送話ミュートのためのミュートキーＦ、優先結合のための有線結合キーＧ、センター呼出・通話切りを行うフックキーＨからなる複数の手動操作キーが配列される。
【０００３】
即ち、図５に示すように、これらのミュートキーＦ、有線結合キーＧ、フックキーＨはコントローラ筐体Ｅの表面に液密に固定される防水ゴムＩに対して薄肉変形部Ｊを介して一体成形され、同ミュートキーＦは、指先で押圧できるようにコントローラ筐体Ｅの内部のプリント配線基板Ｋに設けるロック付プッシュスイッチＬのプッシュロッドｌに対向され、同ロック付プッシュスイッチＬのプッシュロッドｌを押圧されたロック状態または非押圧状態の無作動状態に選択的に切り換えることができる。
また、残る有線結合キーＧ及びフックキーＨは前記プリント配線基板Ｋ上の第１プッシュスイッチＭ1 及び第２プッシュスイッチＭ2 のプッシュボタンｍにそれぞれ対向され、有線結合キーＧまたはフックキーＨの瞬間的な押圧操作により第１プッシュスイッチＭ1 または第２プッシュスイッチＭ2 を切り換えることができる。
【０００４】
【発明が解決しようとする課題】
ところで、図７に示すように、前述したミュートキーＦは、手動操作により２点鎖線示の位置まで押圧してロック付プッシュスイッチＬのプッシュロッドｌをロック位置にするため、その自然状態で防水ゴムＩから突出する状態に一体成形されるが、このような構造では、目視や指先の触感でロック付プッシュスイッチＬの切換状態を判断することができず、不便を感じることが多かった。
また、前述したリモートコントローラＡは、作業のじゃまにならぬように極力薄い形状に作る必要があるが、このような条件下では、プリント配線基板Ｋに搭載されるロック付プッシュスイッチＬのプッシュロッドｌの中心とミュートキーＦの中心との間に段差Ｘ1 が生じ、ミュートキーＦの押圧力が正確にロック付プッシュスイッチＬのプッシュロッドｌに伝わらず、操作ミスの原因となっている。
【０００５】
また、前述した有線結合キーＧ及びフックキーＨにおいても、図６に有線結合キーＧで代表させて示すように、プリント配線基板Ｋ上の第１プッシュスイッチＭ1 のプッシュボタンｍの中心と有線結合キーＧの中心との間に段差Ｘ2 が生じ、ゴム製の有線結合キーＧの押圧力が第１プッシュスイッチＭ1 のプッシュボタンｍに正確に伝達されない問題が起きている。
【０００６】
本発明の目的は、以上に述べたような従来のリモートコントローラの問題に鑑み、ロック付プッシュスイッチの切換状態が外部から判定でき、同ロック付プッシュスイッチの中心と対応する手動操作キーとの中心との間に段差があっても、ロック付プッシュスイッチを確実に切り換えることができる構造を得るにある。
【０００７】
【課題を達成するための手段】
この目的を達成するため、本発明は、コントローラ筐体に液蜜に固定される防水ゴムに対して薄肉変形部を介して手動操作されるミュートキー、有線結合キー、フックキーを一体成形し、これらのミュートキー、有線結合キー、フックキーのそれぞれの内端を前記コントローラ筐体の内部のプリント配線基板に配置するひとつのロック付プッシュスイッチ及び隣合った２個のプッシュスイッチにそれぞれ対向させる無線電話機の防水型リモートコントローラにおいて、前記ロック付プッシュスイッチに対向される前記ミュートキーは外力を受けない自然状態で前記ロック付プッシュスイッチのロック状態のプッシュロッドに対向されると共に、同プッシュロッドの先端には同ミュートキーが外力で内方に押圧されたときその内端に偏心位置で接触できる接触面積の大きな剛性接触部材が固定され、この接触部材により前記プッシュロッドの移動方向とミュートキーの移動方向の段差によるモーメントが緩和され、前記プッシュスイッチのひとつに対応した前記有線結合キーの内端には、扇動軸をコントローラ筐体の内部に枢支された剛性扇動部材の可動端寄りの部分が固定され、同可動端は対応する同プッシュスイッチのプッシュボタンに対向されると共に、残るプッシュスイッチのプッシュボタンは前記剛性扇動部材の基部寄りの部分に形成する開口を通って前記フックキーの内端に対向される構造を提案するものである。
【０００８】
したがって、本発明のリモートコントローラによれば、防水ゴムに一体成形されるミュートキーがロック付プッシュスイッチのプッシュロッドの切り換え状態に完全に追従するので、目視や触感でロック付プッシュスイッチの切り換え状態を知ることができるばかりでなく、ミュートキー、有線結合キー、フックキーの位置と対応したロック付プッシュスイッチやプッシュスイッチの位置に段差があっても、障害なくスイッチ操作できる。
【０００９】
【発明の実施の形態】
以下、図１から図３について本発明の実施例の詳細を説明する。
本発明による防水型リモートコントローラを示す図１は前述した図５相当断面図であり、成形蓋１で閉じられるコントローラ筐体２の表面には、会議通話・送話ミュートのためのミュートキー３、優先結合のための有線結合キー４、センター呼出・通話切りを行うフックキー５からなる複数の手動操作キーが配列されるのは従来と同様である。
【００１０】
つまり、これらのミュートキー３、有線結合キー４、フックキー５は樹脂成形されるコントローラ筐体２の表面に液密に固定される防水ゴム６に対して薄肉変形部６ａを介して一体成形されるが、同ミュートキー３は、指先で押圧できるようにコントローラ筐体２の内部のプリント配線基板７に設けるロック付プッシュスイッチ８のプッシュロッド８ａに対向され、同ロック付プッシュスイッチ８のプッシュロッド８ａを押圧されたロック状態または非押圧状態に選択的に切り換えることができる。
また、有線結合キー４及びフックキー５は前記プリント配線基板７上の第１プッシュスイッチ９及び第２プッシュスイッチ１０のプッシュボタン９ａ，１０ａにそれぞれ対向され、有線結合キー４またはフックキー５の瞬間的な押圧操作により第１プッシュスイッチ９または第２プッシュスイッチ１０を切り換えることができる。
【００１１】
図３は前述したミュートキー３とプリント配線基板７に組み付けられるロック付プッシュスイッチ８との関係を示し、このロック付プッシュスイッチ８はばね８ｂで突出方向に付勢されたプッシュロッド８ａを備え、このプッシュロッド８ａの押圧のたびに実線示のロック位置と２点鎖線示の非作動位置に交互に切り換わる。
前記プッシュロッド８ａの先端にはミュートキー３の後端面よりも充分に広い面積の接触部材１１が固定され、樹脂成形された同接触部材１１がミュートキー３の後端に対向状態におかれるが、ミュートキー３は外力が作用されない自然状態においてロック状態の前記接触部材１１に対向される。
【００１２】
したがって、ロック付プッシュスイッチ８のプッシュロッド８ａが内蔵ロック機構でロック状態（実線示）の位置にある時、ミュートキー３は防水ゴム６の内部に引っ込んだ自然状態にあり、同ミュートキー３が手動操作されて、プッシュロッド８ａのロック状態が解除されると、接触部材１１が２点鎖線示の位置となり、同接触部材１１でミュートキー３が２点鎖線示の突出位置に押し出されるから、目視や触感でロック付プッシュスイッチ８の切り換え状態を知ることができる。
また、硬質樹脂で成形される接触部材１１はミュートキー３の後端面よりも充分に大きな面積を持つので、図示のように、ロック付プッシュスイッチ８のプッシュロッド８ａの移動方向とミュートキー３の移動方向に段差があっても、ミュートキー３の押圧力をプッシュロッド８ａに確実に伝達できるから、結果的にリモートコントローラの小型化を実現できる。
【００１３】
図１に戻って、有線結合キー４の押圧操作力を第１プッシュスイッチ９のプッシュボタン９ａに確実に伝えるため、有線結合キー４と第１プッシュスイッチ９との間には樹脂成形された剛性扇動部材１２が設けられる。即ち、この剛性扇動部材１２の一端には扇動軸１２ａが一体成形され、この扇動軸１２ａを回動中心として同剛性扇動部材１２は扇動できる。
また、前記剛性扇動部材１２の可動端には、比較的柔軟な有線結合キー４の後端部を受け入れる枠状鞘部１２ｂが一体成形され、この枠状鞘部１２ｂの反対側の可動端の表面には第１プッシュスイッチ９のプッシュボタンの中心に位置した押圧突起１２ｃが一体に成形される。
なお、フックキー５の後端面は剛性扇動部材１２の基部寄りの部分に形成する開口１３を通って第２プッシュスイッチ１０のプッシュボタン１０ａに対向される。
【００１４】
したがって、有線結合キー４と第１プッシュスイッチ９との間に剛性扇動部材１２が介在されているから、有線結合キー４に加えられた指先の操作力は、剛性のある枠状鞘部１２ｂを介して剛性扇動部材１２の扇動運動に変換され、同剛性扇動部材１２の押圧突起１２ｃで第１プッシュスイッチ９のプッシュボタン９ａが押圧されるため、有線結合キー４の移動方向の中心と第１プッシュスイッチ９のプッシュボタン９ａの中心との間に段差があっても、有線結合キー４の操作力を第１プッシュスイッチ９に確実に伝達できるから、じゃまにならない小型のリモートコントローラを得ることができる。
【００１５】
【発明の効果】
以上の説明から明らかなように、本発明によれば、防水ゴムに一体成形されるミュートキーがロック付プッシュスイッチのプッシュロッドの切り換え状態に完全に追従するので、目視や触感でロック付プッシュスイッチの切り換え状態を知ることができ、ミュートキー、有線結合キー、フックキーの位置と対応したロック付プッシュスイッチやプッシュスイッチの位置に段差があっても、障害なくスイッチ操作できるから、小型のリモートコントローラを得ることができる。
【図面の簡単な説明】
【図１】本発明によるリモートコントローラの要部断面図である。
【図２】同リモートコントローラの図１の２−２線に沿う拡大断面図である。
【図３】同リモートコントローラの図１の３−３線に沿う拡大断面図である。
【図４】従来の無線電話機とリモートコントローラとの関係を示す斜視図である。
【図５】従来のリモートコントローラの要部断面図である。
【図６】同リモートコントローラの図５の６−６線に沿う拡大断面図である。
【図７】同リモートコントローラの図５の７−７線に沿う拡大断面図である。
【符号の説明】
２          コントローラ筐体
３          ミュートキー（手動操作キー）
４          有線結合キー（手動操作キー）
５          フックキー（手動操作キー）
６          防水ゴム
６ａ        薄肉変形部
７          プリント配線基板
８          ロック付プッシュスイッチ
８ａ        プッシュロッド
９          第１プッシュスイッチ
９ａ        プッシュボタン
１０        第２プッシュスイッチ
１０ａ      プッシュボタン
１１        接触部材
１２        剛性扇動部材
【図１】
0003714448.tif 000002
【図２】
0003714448.tif 000003
【図３】
0003714448.tif 000004
【図４】
0003714448.tif 000005
【図５】
0003714448.tif 000006
【図６】
0003714448.tif 000007
【図７】
0003714448.tif 000008